(57)【要約】【課題】様々な床面上での吸引、ゴミ収集及び清掃能力に関する最適な構造を有する表面処理ヘッドを提供すること。【解決手段】表面処理ヘッドは、内側開口部を画成する第１体と、外側開口部を画成する支持体であって、外側開口部が、内側開口部を囲み、支持体が、第１体に対して移動可能であり、ほぼ垂直方向での内側及び外側開口部間の相対運動を可能とする、支持体と、備え、第１体と支持体との間に設けられた蛇腹状シールをさらに備え、蛇腹状シールが、第１体及び支持体の相対位置及び運動にかかわらず、第１体及び支持体間のほぼ気密なシールを維持する。【選択図】図１
2015181943.tif 000002
【特許請求の範囲】
【請求項１】
内側開口部を画成する第１体と、
外側開口部を画成する支持体であって、前記外側開口部が、前記内側開口部を囲み、当該支持体が、前記第１体に対して移動可能であり、ほぼ垂直方向での前記内側及び外側開口部間の相対運動を可能とする、支持体と、
を備え、
前記第１体と前記支持体との間に設けられた蛇腹状シールをさらに備え、
前記蛇腹状シールが、前記第１体及び前記支持体の相対位置及び運動にかかわらず、前記第１体及び前記支持体間のほぼ気密なシールを維持することを特徴とする表面処理ヘッド。
【請求項２】
前記第１体及び前記支持体が第１相対位置にあるときに、前記外側開口部が、垂直方向で前記内側開口部の上方にあり、前記第１体及び前記支持体が第２相対位置にあるときに、前記外側開口部が、垂直方向で前記内側開口部の下方にあることを特徴とする請求項１に記載の表面処理ヘッド。
【請求項３】
前記第１体及び前記支持体が前記第１相対位置にあるときに、前記蛇腹状シールが、伸びた構造にあり、前記第１体及び前記支持体が前記第２相対位置にあるときに、前記蛇腹状シールが、潰れた構造にあることを特徴とする請求項２に記載の表面処理ヘッド。
【請求項４】
前記第１体及び前記支持体が前記第１相対位置にあるときに、前記蛇腹状シールが、潰れた構造にあり、前記第１体及び前記支持体が前記第２相対位置にあるときに、前記蛇腹状シールが、伸びた構造にあることを特徴とする請求項２に記載の表面処理ヘッド。
【請求項５】
前記第１体及び前記支持体のうちの１つ以上を前記第１及び第２相対位置のうちの一方である付勢位置へ付勢するための付勢手段をさらに備えることを特徴とする請求項２から４のいずれか１項に記載の表面処理ヘッド。
【請求項６】
ユーザ操作式のレバーをさらに備え、
前記レバーが、前記第１体及び前記支持体のうちの１つ以上を前記付勢位置から前記第１及び第２相対位置のうちの他方へ移動させることを特徴とする請求項５に記載の表面処理ヘッド。
【請求項７】
前記第１体及び前記支持体のうちの１つ以上を前記第１及び第２相対位置のうちの前記付勢位置ではない他方で解放可能に保持するためのキャッチをさらに備えることを特徴とする請求項５または６に記載の表面処理ヘッド。
【請求項８】
前記付勢手段が、前記第２相対位置へ前記支持体を前記第１体から離間するように付勢し、隣接する床面が、前記付勢手段に抗する力を形成して前記支持体を前記第１体に向けて前記第１相対位置へ移動させることを特徴とする請求項５に記載の表面処理ヘッド。
【請求項９】
前記第１体及び前記支持体が、使用中に、前記第１及び第２相対位置間の中間相対位置に位置付けられることを特徴とする請求項２から８のいずれか１項に記載の表面処理ヘッド。
【請求項１０】
前記第１体が、吸引キャビティを備えることを特徴とする請求項１から９のいずれか１項に記載の表面処理ヘッド。
【請求項１１】
前記吸引キャビティが、ブラシバーを収容することを特徴とする請求項１０に記載の表面処理ヘッド。
【請求項１２】
前記内側開口部が、吸引キャビティ開口部であることを特徴とする請求項１から１１のいずれか１項に記載の表面処理ヘッド。
【請求項１３】
前記支持体の前記外側開口部が、毛、ＴＰＵ、フェルト及びゴムを含むリストの中の１以上を備えることを特徴とする請求項１から１２のいずれか１項に記載の表面処理ヘッド。
【請求項１４】
前記第１体及び前記支持体のうちの１以上が、床に係合する車輪を備えることを特徴とする請求項１から１３のいずれか１項に記載の表面処理ヘッド。
【請求項１５】
請求項１から１４のいずれか１項に記載の表面処理ヘッドを備えることを特徴とする真空掃除機。
【発明の詳細な説明】
【技術分野】
【０００１】
本発明は、表面処理ヘッドに関する。
【背景技術】
【０００２】
真空掃除機のような表面処理装置には、通常、しばしば清掃ヘッドと称される１以上の表面処理ヘッドが設けられている。清掃ヘッドに共通することは、使用の様々な「モード」間で操作されることができることである。様々なモードは、例えば、カーペット床や硬質床のような様々な床面上の表面処理ヘッドによるより効率のよい清掃を可能とする。
【０００３】
表面処理ヘッドに設けられる様々なモードの一例は、底板に関して上昇または降下される１組のブラシを有することである。上昇位置において、底板は、ブラシよりも下方に位置付けられ、そのため、清掃される床面と直接接触する。このモードは、カーペット床を清掃する際に特に有益である。これにより、底板に設けられた動作縁部がカーペット内へ進入し、吸引キャビティ開口部をカーペットに近接近させて位置付けることが可能となり、これら双方は、カーペット内で捕捉されているゴミの収集を改善することを補助する。しかしながら、硬質床面において、動作縁部は、床面に沿って滑ることがあり、収集される埃及びゴミを解放させる作用がほとんどなく、したがって、収集性能を劣化させるように作用する。そのため、１組のブラシを底板の下方へ降下させ、ブラシは、吸引キャビティが硬質床面上を通過する前に硬質床面上のゴミを解放させるように作用し、それにより、ゴミの収集を改善する。
【発明の概要】
【発明が解決しようとする課題】
【０００４】
残念ながら、表面処理ヘッド内で移動可能なブラシは、空気がブラシと表面処理ヘッドの本体との間に形成される間隙を通って通過できる場合に、吸引の低下を生じさせる。さらに、吸引を改善するためには、吸引キャビティと清掃される床面との間で良好なシールを形成することが望ましいことが周知である。上下動するブラシを有することは、同様に、シールを低下させ、床面で発生する吸引を低減させることがある。
【課題を解決するための手段】
【０００５】
本発明は、表面処理ヘッドを提供し、この表面処理ヘッドは、内側開口部を画成する第１体と、外側開口部を画成する支持体であって、外側開口部が、内側開口部を囲み、支持体が、第１体に対して移動可能であり、ほぼ垂直方向での内側及び外側開口部間の相対運動を可能とする、支持体と、を備え、第１体と支持体との間に設けられた蛇腹状シールをさらに備え、蛇腹状シールが、第１体及び支持体の相対位置及び運動にかかわらず、第１体及び支持体間のほぼ気密なシールを維持する。
【０００６】
その結果、２つの開口部の相対位置を調整し、様々な床面上での吸引、ゴミ収集及び清掃能力に関する最適な構造を有する表面処理ヘッドを提供する。第１体と支持体との間に蛇腹状シールを有する表面処理装置を提供することによって、第１体と支持体との間の相対位置を選択し、使用中の２つの開口部間の運動は、表面処理ヘッドと清掃する床面との間で吸引に不利な影響を与えることなく行われる。これにより、改善した表面処理ヘッドをもたらし、この表面処理ヘッドは、有利な構造を提供するようにより適合でき、複数の様々な床タイプにおける最適な清掃性能を達成する。
【０００７】
第１体及び支持体が第１相対位置にあるときに、外側開口部は、垂直方向で内側開口部の上方にあってもよく、第１体及び支持体が第２相対位置にあるときに、外側開口部は、垂直方向で内側開口部の下方にあってもよい。その結果、内側及び外側開口部の一方が特定の床タイプに関して良好な清掃性能を提供し得るので、内側開口部及び外側開口部のいずれかを選択して清掃される床面の所定領域に最接近させるまたは接触させる。
【０００８】
第１体及び支持体が第１相対位置にあるときに、蛇腹状シールは、伸びた構造にあってもよく、そして、第１体及び支持体が第２相対位置にあるときに、蛇腹状シールは、潰れた構造にあってもよい。あるいは、第１体及び支持体が第１相対位置にあるときに、蛇腹状シールが、潰れた構造にあってもよく、そして、第１体及び支持体が第２相対位置にあるときに、蛇腹状シールが、伸びた構造にあってもよい。第１体及び支持体間の運動に応じて伸ばすまたは潰すことによって、これらの相対位置及び運動にかかわらず維持される気密シールを達成する。
【０００９】
表面処理ヘッドは、第１体及び支持体のうちの１つ以上を第１及び第２相対位置のうちの一方である付勢位置へ付勢するための付勢手段をさらに備えてもよい。第１体及び支持体のうちの１つ以上を第１及び第２相対位置の一方または他方へ付勢することによって、他の影響なく、表面処理ヘッドは、自動的にその位置へ適合する。したがって、どの相対位置に第１体及び支持体があるかユーザが判断する努力を必要としない。
【００１０】
表面処理ヘッドは、ユーザ操作式のレバーをさらに備えてもよく、レバーが、第１体及び支持体のうちの１つ以上を付勢位置から第１及び第２相対位置のうちの他方へ移動させる。これにより、ユーザは、付勢手段の力に抗して第１体及び支持体の相対位置を付勢位置から容易に移動させることが可能となる。表面処理ヘッドは、第１体及び支持体のうちの１つ以上を第１及び第２相対位置のうちの付勢位置ではない他方で解放可能に保持するためのキャッチをさらに備えてもよい。これにより、第１体及び支持体を付勢手段の力に抗して所定位置で保持することが可能となる。キャッチを十分に開放すると、その後、第１体及び支持体は、付勢位置へ復帰する。
【００１１】
付勢手段は、第２相対位置へ支持体を第１体から離間するように付勢してもよく、隣接する床面は、付勢手段に抗する力を形成して支持体を第１体に向けて第１相対位置へ移動させてもよい。これにより、支持体は、床面のタイプの変化に応じて自由に上下動することが可能となり、外側開口部が床面と接触したままであることを確実にし、内側開口部が同様に床面と接触するしないいずれにせよ、床面と外側開口部との間の外側シールを維持する。これは、表面処理ヘッドと床面との間でより強固な吸引シールを提供することに機能する。
【００１２】
第１体及び支持体は、使用中に、第１及び第２相対位置間の中間相対位置に位置付けられてもよい。これにより、２つの本体は、第１及び第２相対位置のいずれかよりも床面との良好なシールを提供し得る所定の相対位置に適合することができ、吸引、ひいては表面処理ヘッドの清掃性能を改善し得る。
【００１３】
第１体は、吸引キャビティを備えてもよい。内側開口部は、吸引キャビティ開口部であってもよい。
【００１４】
支持体の外側開口部は、毛、ＴＰＵ、フェルト及びゴムを含むリストの中の１以上を備えてもよい。これら材料それぞれは、特定の床タイプを清掃するときに有利な効果を提供し得る。例えば、ＴＰＵは、隣接する床面との特に良好なシールを提供し、吸引を改善するが、毛は、床面上のゴミを掻き回すことによりよく作用する。所定の組合せを実現してもよく、これにより、各材料の利点の組み合わせを表面処理ヘッドに提供する。
【００１５】
第１体及び支持体のうちの１以上は、床に係合する車輪を備えてもよい。車輪を使用して、床面上の表面処理ヘッドの移動性を改善でき、かつ、車輪を使用して、隣接する床面と第１体及び支持体のうちの１つ以上との間で所定距離を維持することを確実にできる。これは、例えば硬質床面上において、第１体内にある床に係合する車輪によって第１体を床面の上方で保持し得る場合に、特に有利であり得る。この場合、外側開口部のみが、床に接触し、より大きい外側シールを形成する。あるいはまたはさらに、第１体及び／または支持体は、床係合車輪を備えてもよく、これら車輪は、運動抵抗を増大させ得る吸引力によって支持体が床面に向けて過度に引き込まれることを防止する。
【００１６】
本発明は、上記請求項のいずれか１項に記載の表面処理ヘッドを備える真空掃除機をさらに提供する。
【００１７】
本発明をより迅速に理解するため、本発明の実施形態を例として添付の図面を参照しながら説明する。
【図面の簡単な説明】
【００１８】
【図１】本発明の第１実施形態にかかる表面処理ヘッドを示す斜視図である。
【図２】図１の表面処理ヘッドを示す上面図である。
【図３】図１及び図２の表面処理ヘッドを示す下面図である。
【図４】図１から図３の表面処理ヘッドを示す部分分解斜視図である。
【図５】図１から図３の表面処理ヘッドで使用される底板体と蛇腹状シールとを示す側面図である。
【図６】図１から図３の表面処理ヘッドで使用される底板体と蛇腹状シールとを示す側面図である。
【図７】図１から図３の表面処理ヘッドを通る横断面図である。
【図８】図１から図３の表面処理ヘッドを通る横断面図である。
【図９】本発明の別の実施形態にかかる表面処理ヘッドを示す下面図である。
【図１０】図９の表面処理ヘッドを示す前面図である。
【図１１】図９の表面処理ヘッドを示す前面図である。
【発明を実施するための形態】
【００１９】
図１、図２及び図３は、表面処理ヘッド１を示す。表面処理ヘッド１は、主本体２と、回転支持体３と、を備える。主本体２は、底板体５である第１体と、底板体５を囲む支持体４と、を備える。支持体４及び底板体５は、ほぼ垂直方向で、すなわち軸Ｖとほぼ平行に、互いに対して移動可能である。回転支持体３は、車輪６と、旋回ダクト７と、を備える。旋回ダクト７は、例えばシリンダ型またはキャニスタ型の真空掃除機の場合にワンド取付具を用いて、表面処理ヘッド１を真空掃除機に取り付けることを可能とする。旋回ダクト７は、ダクト８を用いて、主本体２と、特に底板体５と流体接続している。レバー９及びキャッチ１０は、表面処理ヘッド１の上側に設けられており、底板体５及び支持体４の様々な相対位置を選択しかつ選択解除するために使用される。これは、以下で詳述する。
【００２０】
図３は、表面処理ヘッド１の下部を示す。底板体５の下部は、前方動作縁部１２及び後方動作縁部１４間に設けられた吸引キャビティ開口部を有する吸引キャビティ１１を備える。相対的な用語「前方」及び「後方」は、（図１において軸Ｍで示すように）真空掃除機の操作において前方に掃いている間に表面処理ヘッド１を使用する方向にしたがって規定されている。吸引キャビティ１１は、ダクト開口部１５を用いてダクト８に流体接続されている。吸引キャビティ開口部は、床を向く内側開口部を画成する。支持体４は、底板体５の外側の周りにある。支持体は、前方及び後方ゴム製スカート２２、２４と、フェルト２６を有する硬質プラスチック側部と、を有し、これらの組み合わせは、床を向く外側開口部を画成し、この外側開口部は、内側開口部を囲む。
【００２１】
支持体４が降下位置にあると、底板体は、床面の上方で保持される一方、支持体４にあるフェルト２６及びゴム製スカート２２、２４は、床面と接触する。反対に、支持体が上昇位置にあると、底板体は、支持体４の下方へ延在する。支持体４のフェルト及びゴム製スカートは、床を向く外側開口部を画成し、この外側開口部は、底板体５の吸引キャビティ開口部の周囲に位置付けられる。底板体５の下部にある吸引キャビティ開口部は、床を向く内側開口部を画成し、この内側開口部は、外側開口部内に位置付けられている。支持体４及び底板体がほぼ垂直方向で互いに対して移動可能であるため、２つの開口部の相対的な垂直方向の位置は、内側開口部が垂直方向で外側開口部の上方または下方にあるように調整される。外側開口部が内側開口部の下方にある場合、フェルト及びゴム製スカートは、床面とシールを形成し、硬質床面との吸引を改善する。フェルト及びゴム製スカートに替えて、支持体４には、例えば毛、ゴム、フェルト及び熱可塑性ポリウレタン（ＴＰＵ）ストリップのいずれかもしくはこれらの組み合わせが設けられてもよい。もちろん、理解されることは、これが排他的なリストではなく、支持体に設けられ得る他の材料が明白であることである。
【００２２】
図４は、支持体４が表面処理ヘッドの他の部分から離間するように上昇されている表面処理ヘッド１を示す。蛇腹状シール２０は、底板体５と支持体４との間に設けられており、それにより、これらを接合すると、底板体と支持体との間には、気密シールが形成され、この気密シールは、空気がこれら間を通過することを防止する。シールが蛇腹状シール２０であるので、２つの本体４及び５の相対的な位置またはこれら２つの間の運動にかかわらず、２つの本体４及び５間には、気密シールが形成される。これにより、支持体４と底板体５との間の間隙を空気が通過することに起因して表面処理ヘッド１での吸引が損なわれることを防止する。
【００２３】
図５は、蛇腹状シール２０が取り付けられた底板体５を示しており、蛇腹状シールは、伸びた構造にある。矢印Ａで示すように、蛇腹状シールは、シールの底部に対するシールの頂部の移動に応じて、必要に応じて、潰れたり伸びたりすることができる。シールの上縁部２１には、ゴム引きされた変形可能リブが設けられており、この上縁部は、支持体４にある対応する収容溝部内へ係合する。図５では示されていない同様の下側リブは、蛇腹状シールの底部に設けられており、底板体５の頂面にある収容溝部内に係合している。図６は、同じ底板体５及び蛇腹状シール２０であるが蛇腹状シール２０が潰れた構造にある状態を示す。
【００２４】
図７及び図８は、２つの異なる構造にある表面処理ヘッド１の主本体２の中心を通る横断面を示す。底板体は、前方動作縁部１２及び後方動作縁部１４を有し、これら動作縁部は、上述のように、内側開口部を画成する。支持体４は、前方及び後方ゴム製スカート２２、２４と、前方及び後方ゴム製スカート２２、２４間で延在する側方それぞれに沿うフェルト部分２６と、を有する。ゴム製スカート２２、２４及びフェルト２６は、上述のように、外側開口部を画成する。図７において、主本体４は、底板体５に対して降下位置すなわち展開位置にある。この構造において、外側開口部は、内側開口部の垂直方向下方に位置付けられる。したがって、外側開口部は、清掃される床面に接触する。これにより、ゴム製スカート２２、２４は、収集を改善するために、床面上を進んで表面上のゴミを掻き回すことが可能となる。この構造は、清掃する床面が硬質床面である場合に、特に有利である。図７に示すように支持体が降下位置にある場合、横断面から明確にわかることは、蛇腹状シール２０が潰れた状態にあることである。蛇腹状シール２０は、上縁部２１及び下縁部２３を有しており、これら縁部は、底板体５及び支持体４にある収容溝部３２、３４内へ嵌り込む。蛇腹状シールの上縁部２１は、支持体４の上側セクションの下部に設けられた収容溝部３２内に挿入され、下縁部２３は、底板体５の頂面に設けられた収容溝部３４内に挿入されている。蛇腹状シールは、底板体５の頂面と支持体４の上側セクションの下部との間にある小領域内へ折り畳むことができる。潰れた状態になるにもかかわらず、蛇腹状シール２０は、底板体５と支持体４との間に形成された間隙間を空気が通過しないことを確実にし、したがって、底板体５を展開したときに対応する損失がない。
【００２５】
図８において、支持筐体４は、底板体５に対して上昇位置にある。この構造において、内側開口部は、外側開口部よりも下方に位置付けられて入る。使用時において、底板体の下部、ひいては内側開口部は、床に接触する一方、外側開口部は、床面から離間した位置で保持されており、それにより、ゴム製スカート２２、２４及びフェルト２６は、床面と接触していない。この構造は、清掃する床面がカーペット床である場合に、特に有利である。前方及び後方動作縁部１２、１４は、カーペットのパイル内に入り込むことができ、これにより、ゴミの収集を改善する。図８に示すように支持体が上昇位置にある場合、横断面から明確にわかることは、蛇腹状シール２０が伸びた状態にあることである。蛇腹状シール２０の上及び下縁部２１、２３は、依然として収容溝部３２及び３４内に位置しているが、ここで、蛇腹状シール２０の残りの部分を伸ばしており、上及び下縁部２１、２３間の距離が増大する原因となっている。伸びた状態において、蛇腹状シールは、以前として良好な気密シールを確実にしており、この気密シールは、底板体５と支持体４との間を空気が通過することを阻止する。本実施形態において支持体が上昇位置にある場合にはこのような気密シールが重要ではなくなっている一方で、常に気密シールを形成できる蛇腹状シールを有することは有利である。例えば、２つの本体４及び５が互いに当接するとシールを形成する底板体５と支持体４との間で定期的なシールを形成でき得る。しかしながら、これは、比較的厳しい製造許容誤差内で部品を形成することを必要とすることがあり、このようなことは、表面処理ヘッドの製造コストを増大させ得る。蛇腹状シールを用いることにより、製造許容誤差内の差異を容易に吸収でき、表面処理ヘッドの製造コストを低いまま維持できる。
【００２６】
使用中、ユーザは、上述した２つの構造の一方または他方を選択するために、支持体４及び／または底板体５を移動させることができる。付勢手段（図示略）は、付勢構造として知られる一方または他方の構造に向けて２つ本体を互いに対して付勢する。図１から図８に示す実施形態において、付勢手段は、支持体４を上述しかつ図８に示した上昇位置に向けて付勢し、それにより、底板体５の内側開口部は、支持体４の外側開口部の下方に突出し、支持体４のゴム製スカート２２、２４及びフェルト２６は、床面の上方で保持される。そして、図１に示すレバー９のようなレバーを用いて、底板体５及び／または支持体４を互いに対して別の構造、すなわち支持体が下降位置すなわち展開位置にある状態に向けて移動させる。２つ本体をこれらの新たな相対位置へ移動させると、キャッチ１０は、付勢手段の力に抗してこれら相対位置で２つ本体を保持する。そして、キャッチ１０を解放し、底板体５及び支持体４をそれらの相対的な「付勢」位置へ復帰させることを可能とする。レバー９及びキャッチ１０は、好ましくは、フットによって作動され、このフットは、使用中にユーザにとってより容易な異なる構造（すなわち、表面処理ヘッドの「モード」）を選択する動作をなす。
【００２７】
支持体４には、車輪３０が設けられており、この車輪は、支持体４を展開したときに表面処理ヘッド１の移動抵抗を低減することを補助する。支持体を展開したときの吸引力は、大きな力で支持体を床面に向けて引き込ませ、ゴム製スカート２２、２４は、変形し、表面処理ヘッド１は、移動が困難になる。車輪３０は、支持体４が床面に向けて過度に引き込まれてゴム製スカートが変形されることを防止する。車輪３０に加えて、表面処理ヘッド１に空気抜部を設け、床面と表面処理ヘッド１との間で発生した吸引力を低減することを補助する。
【００２８】
別の実施形態を図９から図１１に示す。図９は、表面処理ヘッド４０の株を示す。図１から図８に関して上述した表面処理ヘッドは、主として、受動ヘッドとして知られており、この受動ヘッドは、回転ブラシバーを有さないことを意味する。図９から図１１の表面処理ヘッド４０は、能動ヘッドであり、そのため、吸引キャビティ４３内に回転ブラシバー４６を有する。表面処理ヘッドは、底板体４２の形態をなす第１体を備え、この底板体は、内側開口部を画成する吸引キャビティ開口部を有する。外側開口部を画成する支持体４４が設けられており、この外側開口部は、底板体４２の内側開口部を囲む。底板体４２には、硬質床に沿って進むときに底板体４２を支持できる支持車輪４８が設けられている。これは、硬質床面と底板体４２との間にある均一な分離間隙を維持し、それにより、内側開口部は、床面に接触しない。カーペット床面において、車輪は、カーペットのパイル内に入り込める。
【００２９】
支持体４４は、蛇腹状シール５０を用いて、床面を向く内側開口部の上方で底板体４２の一部に取り付けられている。この実施形態において、支持体４４は、付勢手段（図示略）によって底板体４２から下方に離間するように付勢されている。図１０は、支持体４４が降下位置にある表面処理ヘッド４０の前面図を示す。この降下位置において、支持体４４は、底板体４２の下方へ延在し、それにより、外側開口部は、内側開口部よりも垂直方向で下方に位置付けられる。この例において、蛇腹状シール５０は、矢印Ｅで示すように、伸びた状態にある。これは、主として、表面処理ヘッド４０を硬質床面上で使用するときに適用される構造である。底板体４２の車輪４８は、内側開口部を床面から離間させて保持し、付勢手段は、支持体４４を下方へ押し進め、それにより、外側開口部は、床面に接触する。したがって、外側開口部は、床面と良好なシールを形成し、収集性能の改善を達成する。例えばカーボン製毛などの軟らかい毛は、ブラシバー４６に設けられており、このブラシバーは、吸引キャビティ４３の外側へ延在し、それにより、毛は、車輪４８によって底板体４２を床面から離間させて保持していても、硬質床面に到達できる。そして、軟らかい毛は、使用中に、ゴミ及び埃を硬質床面から吸引キャビティ４３内へ引き込むことを補助する。外側開口部の周囲において、支持体４４には、ゴム製スカート、フェルトもしくは熱可塑性ポリウレタン（ＴＰＵ）ストリップのうちの１つまたはこれらの組み合わせが設けられてもよい。もちろん、理解されることは、これが排他的なリストではなく、支持体に設けられ得る他の材料が明白であることである。
【００３０】
図１１は、支持体４４が上昇位置にある表面処理ヘッド４０の前面図を示す。この上昇位置において、底板体４２は、支持体４４の下方へ突出し、それにより、内側開口部は、外側開口部よりも垂直方向で下方に位置付けられる。この例において、蛇腹状シール５０は、矢印Ｃで示すように、潰れた状態にある。これは、主として、表面処理ヘッド４０がカーペット床面上で使用中の場合に適用される構造である。上述のように、車輪４８は、カーペットのパイル内に入り込むことができ、したがって、内側開口部は、床面に接触する。カーペットは、支持体４４に作用する付勢力に抗する上方力を形成し、そのため、支持体４４は、上昇位置を適用し、蛇腹状シール５０を支持体４４と底板体４２との間で潰す。底板体４２の動作縁部は、カーペット内に入り込むことができ、改善したゴミ収集を形成する。動作縁部に替えてまたは動作縁部に加えて、ブラシバー４６は、硬い毛を備えてもよく、これら硬い毛は、底板体自体がカーペット面に入り込むときにカーペットに入り込める。そして、回転する毛は、カーペットのパイル内にあるゴミ及び埃を掻き回し、これらゴミ及び埃は、真空掃除機からの吸引力によって吸引キャビティ内へ引き込まれる。硬い毛は、通常、軟らかい毛よりも短く、硬質床面とは接触できない。これは、清掃動作中に硬い毛が硬質床面を引っ掻くまたは床面に跡をつけることを阻止する。
【００３１】
図９から図１１に示す別の実施形態において、底板体４２と支持体４４との相対的な位置付けは、図１から図８に示す上記実施形態と同じ方法ではユーザによって選択されない。その替わり、支持体４４は、床面に向けて下方へ常に付勢されている。表面処理ヘッドが１つの床面から別の床面まで進むにしたがって、底板体４２に対する支持体４４の相対的な垂直方向の位置付けは、底板体４２が床面内へ入り込める量にしたがって調整する。したがって、表面処理ヘッド４０は、常に、床面との良好なシールを維持し、ユーザからの入力を必要とすることなく、最適なレベルの収集を達成する。さらに、底板体４２と支持体４４とがどのような相対位置を有するかにかかわらず、かつ、２つの間の運動にかかわらず、蛇腹状シール５０によって一定の気密シールを維持し、空気が２つの本体４２、４４間を通過することを阻止する。
【００３２】
支持体４４は、全体にわたって均一の高さにある外側開口部を有するように示されており、それにより、床面との均一なシールは、外側開口部全体の周囲で形成される。しかしながら、空気抜部は、必要に応じて、開口部が床面と接触しているときにいくらかの空気が空気抜部を通って入ることを可能とするために設けられてもよい。図面は、車輪４８を有する底板４２を示しているが、これらは、必ずしも必要ではなく、底板体４２に替えてまたは底板体に加えて支持体４４で使用してもよい。
【００３３】
ここまで、特有の実施形態を説明したが、理解されることは、特許請求の範囲で規定される範囲から逸脱することなく、様々な改変をなしてもよいことである。
【符号の説明】
【００３４】
１，４０  表面処理ヘッド、４，４４  主本体，本体，支持体，支持筐体、５，４２  底板体，底板，本体（第１体）、９  レバー、１０  キャッチ、１１，４３  吸引キャビティ、２０，５０  蛇腹状シール、２２  前方ゴム製スカート，ゴム製スカート、２４  後方ゴム製スカート，ゴム製スカート、２６  フェルト部分，フェルト、３０  車輪、４８  支持車輪，車輪
【図１】
2015181943.tif 000003
【図２】
2015181943.tif 000004
【図３】
2015181943.tif 000005
【図４】
2015181943.tif 000006
【図５】
2015181943.tif 000007
【図６】
2015181943.tif 000008
【図７】
2015181943.tif 000009
【図８】
2015181943.tif 000010
【図９】
2015181943.tif 000011
【図１０】
2015181943.tif 000012
【図１１】
2015181943.tif 000013
【外国語明細書】
2015181943000001.pdf